(57)【特許請求の範囲】
【請求項１】
額縁のフレームの裏面に先端が裏板上に向かって内向するＬ字形突片を突設し、Ｌ字形突片の内向屈折片に差し付けて裏板を弾力で押し止める裏板止め具であって、Ｌ字形突片に差し付けるコ字形挟持部の後端に弾性変形可能なバネ板部を横振りの力を加え得るように突設し、バネ板部の後端に裏板の押脚を設け、挟持部を構成する上差込片の先端に、Ｌ字形突片の屈折外縁に掛かる逆止爪を突設するとともに、逆止爪が幅中央から両側端へ順次低くなるようにその両側に側傾斜面を形成し、さらに、バネ板部に加えられる横振りの力がその逆止爪の側端を作用点としてＬ字形突片に乗り上げる力として働くように、挟持部のコ字形内側の奥端面と、下差込片の先端縁とをそれぞれＬ字形突片に支点として中央で接触する凸湾曲面に形成してあって、逆止爪の乗り上げに伴う作用点の移動とともに、前記支点が湾曲面に沿って横へ移動するように構成したことを特徴とする額縁の裏板止め具。
【請求項２】
後端を幅広く形成することによりその両側に指掛かりやすく凸角を形成し、さらに、後端面を指押しやすく凹湾曲面に形成したことを特徴とする請求項１記載の額縁の裏板止め具。
【発明の詳細な説明】
【０００１】
【発明の属する技術分野】
この発明は、アルミ等の押出形材のフレームに部分的に取り付けて弾性により裏板を押さえ止めるために使用する額縁の裏板止め具に関する。
【０００２】
【従来の技術】
額縁の裏板の止め方については、一般的に所謂トンボと称される回転爪がフレームの裏側にビスで軸着されるが、操作性に難点があり、また、裏側が幅狭いことの多い押出形材からなるフレームでは軸着に適しない等の問題があるため、フレームに着脱可能に掛止できるプラスチック製の裏板止め具が多用される。その例として、実用新案登録第２５９６８７４号公報に記載されたものを挙げることができる。
【０００３】
上記公報に記載される額縁の裏板止め具によれば、その取付け対象としてのフレームには、裏板上に向かって内向する取付溝を形成するとともに、取付溝を構成する裏側の外片の縁に溝開口を閉じる方向に係止突条を突設し、言わば取付溝を半蟻溝形に形成するもので、これに対して、裏板止め具は、外片を係止突条とともに挟む口開け形の挟持部に裏板を弾性変形により押さえる押圧片を突設し、フレームの外片を挟む挟持部を構成する下側のフロント突片には、取付溝開口の係止突条に掛かる山形状突出部が形成される。そこで、額縁に取り付け取り外すときには、フレームに向かって押したり引いたりしてこの山形状突出部が係止突条を乗り越えるよう操作される。
【０００４】
【発明が解決しようとする課題】
上記のような従来の額縁の裏板止め具によれば、取付け取外し操作が押圧片の尻下がりに湾曲傾斜した部分に指を押圧して行われるので、取付けの時は前進の力が加わりやすいが、後退の際には引っ張りの力を加えがたかった。加えて、フレームの取付溝開口の係止突条を挟持部が弾性変形し難い奥深くでくわえる取付け状態となることから、その掛止状態を脱却させることにも引っ張りの力を強く要するため、殊に、取外し操作は容易ではなく、また、取付けにも抵抗が多く、操作性に難点があった。
【０００５】
しかも、フレームについては、取付溝が裏板止め具の山形状突条付のフロント突片を受け入れる大口に形成されることに加え、開口縁に係止突条を備えることから、その分だけ裏側に寸法（本考案の実施例を示す図３ではＹに相当する）がとられフレームの前後幅が広くなるため、額縁をデザイン上から薄型にする制約となるという問題もあった。
【０００６】
この発明は、上記のような実情に鑑みて、額縁のフレームに取付け取外しが容易であり、しかも、構造が簡単でフレームの薄形にも適する額縁の裏板止め具を提供することを目的とした。
【０００７】
【課題を解決するための手段】
上記の目的を達成するために、この発明は、額縁のフレームの裏面に先端が裏板上に向かって内向するＬ字形突片を突設し、Ｌ字形突片の内向屈折片に差し付けて裏板を弾力で押し止める裏板止め具であって、Ｌ字形突片に差し付けるコ字形挟持部の後端に弾性変形可能なバネ板部を横振りの力を加え得るように突設し、バネ板部の後端に裏板の押脚を設け、挟持部を構成する上差込片の先端に、Ｌ字形突片の屈折外縁に掛かる逆止爪を突設するとともに、逆止爪が幅中央から両側端へ順次低くなるようにその両側に側傾斜面を形成し、さらに、バネ板部に加えられる横振りの力がその逆止爪の側端を作用点としてＬ字形突片に乗り上げる力として働くように、挟持部のコ字形内側の奥端面と、下差込片の先端縁とをそれぞれＬ字形突片に支点として中央で接触する凸湾曲面に形成してあって、逆止爪の乗り上げに伴う作用点の移動とともに、前記支点が湾曲面に沿って横へ移動するように構成したことを特徴とする額縁の裏板止め具を構成した。
【０００８】
【作用】
上記の構成によれば、その裏板止め具を額縁に取り付けるには、フレームの裏面に突設されるＬ字形突片の内向屈折片に挟持部を差し付けながら押しつける。そうすると、挟持部の主に上差込片が一旦弾性変形することによって、先端の逆止爪がＬ字形突片の屈折外角縁に引っ掛かり抜けなくなり、また、この状態では、バネ板部の弾力で裏板が押さえ止められる。したがって、裏板を含む内容物の厚みに対応できる。また、取り外すときには、後端を摘んで又は指掛けて横に振るように横から力を加え、Ｌ字形突片に対して凸湾曲面を沿わせて回転させながら逆止爪を外してから引き出す。
【０００９】
この外れ方の手順を具体的に図面に基づいて説明する。この発明は、挟持部１３のコ字形内側の奥端面と、下差込片２０の先端縁とをそれぞれＬ字形突片３に支点として中央で接触する先方への凸湾曲面２７，２９に形成する。
【００１０】
この形状において、後端に指を掛けて横から力を加えて動かすと（図４及び図５の矢印Ｆ）、後端一角を力点Ｓａとすると、凸湾曲面２９の中央がＬ字形突片３と接触する支点Ｓｂとなり、逆止爪２１の一端の作用点Ｓｃまでの距離が（凸湾曲面が無い場合に比べ）約半減するため、その作用点Ｓｃに梃子の倍力が加わりやすく、しかも、その部分が逆止爪２１の側傾斜面２５で最も低い箇所であるため、力を要することなく逆止爪２１の一端をＬ字形突片３の上に乗り上げさせることができる。
【００１１】
この乗り上げにより、作用点Ｓｃが逆止爪２１の中央に移動するが、裏板止め具Ｐが凸湾曲面２７，２９で回転してフレーム１に接触する支点Ｓｂも（追われるように）移動し、中央で同位置とならなく、逆止爪２１が順次乗り上げるに必要な支点Ｓｂ，Ｓｂと作用点Ｓｃとの距離が保たれる結果（図５）、逆止爪２１を全体的に外せるから、これで単に引くことによって容易に引き出すことができる。なお、矢印ＱはＳｂに沿って回転して外れて行く方向を示したものである。
【００１２】
裏板止め具Ｐの後端部の形状については、押したり引いたり横へ振ったりするのに適するように様々な形状を取りうるが、後端を幅広く形成することによりその両側に指掛かりやすく凸角を形成し、さらに、後端面を指押しやすく凹湾曲面に形成すると（請求項２）、構造が簡単でありその操作をなしやすい。
【００１３】
【発明の効果】
以上説明したように、この発明の額縁の裏板止め具によれば、フレームのＬ字形突片に差し込むだけで取付けが完了し、また、横から指掛けて凸湾曲面がＬ字形突片と接触する箇所を支点として逆止爪の低い側端を乗り上げさせ、支点移動で回動させるだけで逆止爪を簡単に外すことができるので、取付け取外しが容易であり、ワンタッチ操作でその作業をなし得る。しかも、取付け箇所が単なるＬ字形突片であり、その外側で掛止するものであるため、フレームの薄形にも適するという優れた効果がある。
【００１４】
【実施例】
次に、この発明の実施例を図面に基づいて説明する。
【００１５】
図面は一実施例を示したもので、その額縁の裏板止め具Ｐは、額縁Ｇの裏側において、フレーム１のＬ字形突片３に差し付けて装着され、これによって裏板５が弾力で押さえ止められる。
【００１６】
額縁のフレーム１は、アルミ押出形材として中空に形成され、その裏面にＬ字形突片３が先端を内向きになるように突設され、その先端部としての内向屈折片７とフレーム本体との間に内向溝８を有する。また、フレーム１には、表側の内側端に透明板９の掛止片１１が突設され、内向溝８が蟻溝でないこともあって、厚みＹが薄く形成される。
【００１７】
裏板止め具Ｐは、プラスチックにより一体成形され、ほぼ矩形に近い水平板状の薄形の形態であって、先端部にフレーム１の内向屈折片７に差し込むコ字形の挟持部１３が形成され、挟持部１３の後端にバネ板部１５を突設し、その後端に押脚１７が垂設され、挟持部１３の上差込片１９が下差込片２０よりも先方に突き出て、そこにＬ字形突片３の屈折外縁に掛かる逆止爪２１が形成される。
【００１８】
逆止爪２１は、差し込みを許す逃げ角の斜面２３を有するが、幅中央から両側に低く側傾斜面２５，２５が形成され、言わば半四角錐の形状となっている。そして、この横からの力でＬ字形突片３と接触する支点Ｓｂが移動するように、挟持部１３の内側後端と下差込片２０の先端とを先方に突き出る円弧の凸湾曲面２７，２９に形成してある。これにより、円滑な回転の動作で逆止爪２１が簡単に外れる。
【００１９】
Ｌ字形突片３の内向屈折片７に差し込む操作をしやすく、後端をやや幅広く形成するとともに、その後端に指突当て用の凹湾曲面３１を形成し、さらに、下差込片２０の先端の上面に斜面の案内口３２が形成される。また、指掛けやすく且つ摘まみ出しやすくするために、後端の両側がアールの凸角３３，３３となっている。
【図面の簡単な説明】
【図１】  この発明の額縁の裏板止め具を取付け要領で示す額縁の一部斜視図である。
【図２】  同裏板止め具を示す底面図である。
【図３】  同裏板止め具の取付け状態を示す額縁の一部断面図である。
【図４】  取外し要領を説明する同部の裏面図である。
【図５】  同裏板止め具を次の取外し要領で説明する額縁の一部裏面図である。
【符号の説明】
Ｇ  額縁
Ｐ  裏板止め具
１  フレーム
３  Ｌ字形突片
５  裏板
７  内向屈折片
１３  挟持部
１５  バネ板部
１７  押脚
１９  上差込片
２０  下差込片
２１  逆止爪
２５  側傾斜面
２７，２９  凸湾曲面
３１  凹湾曲面
３２  案内口
３３  凸角
【図１】
0003862218.tif 000002
【図２】
0003862218.tif 000003
【図３】
0003862218.tif 000004
【図４】
0003862218.tif 000005
【図５】
0003862218.tif 000006